(57)【要約】      （修正有）【課題】  杭体内に内装された楔体が土中に確実に突出したことを確認することが可能な土木工事用杭の楔体突出確認方法を提供すると共に、そのような楔体突出確認方法を可能とする土木工事用杭を提供する。【解決手段】  土木工事用杭１は、中空状の杭体内２Ａ、２Ｂに内装された複数の楔体６に歪ゲージを取り付けたことを特徴とし、土木工事用杭の楔体突出確認方法は、楔体６に取り付けた歪ゲージによって楔体６が土中に突出した際に生じる歪を計測することにより楔体６が土中に打ち込まれたことを確認することを特徴とする。【選択図】図１
2008008091.tif 000002
【特許請求の範囲】
【請求項１】
中空状の杭体内に内装された複数の楔体を当該杭体外部へ突出させて土中に根を張るように打ち込む土木工事用杭において、
前記楔体に歪ゲージを取り付けたことを特徴とする土木工事用杭。
【請求項２】
請求項１に記載の土木工事用杭において、
前記楔体は、２枚の板部材の間に中間層を設けて張り合わせることにより内部に空間部を形成し、当該空間部に歪ゲージを内装したことを特徴とする土木工事用杭。
【請求項３】
請求項１に記載の土木工事用杭において、
前記楔体は、少なくとも一方側に凹部を有する板部材を張り合わせることにより内部に空間部を形成し、当該空間部に歪ゲージを内装したことを特徴とする土木工事用杭。
【請求項４】
請求項１に記載の土木工事用杭において、
前記楔体は、所定箇所に凹所を有し、当該凹所に歪ゲージを取り付けたことを特徴とする土木工事用杭。
【請求項５】
請求項１に記載の土木工事用杭において、
前記楔体は、中空部を備えた金属製管を両側方向からその内部に空間部が保持されるように押しつぶすことにより形成され、当該空間部に歪ゲージを内装したことを特徴とする土木工事用杭。
【請求項６】
中空状の杭体内に内装された複数の楔体を当該杭体外部へ突出させて土中に根を張るように打ち込む土木工事用杭において、
可撓性を有する金属製薄板に取り付けられた歪ゲージを前記楔体に至るまで案内する案内手段を前記杭体内に挿入可能に形成されていることを特徴とする土木工事用杭。
【請求項７】
請求項６に記載の土木工事用杭において、
前記楔体には、前記杭体内に挿入される前記歪みゲージを当該楔体の内部へ案内する中空部が形成されていることを特徴とする土木工事用杭。
【請求項８】
中空状の杭体内に内装された複数の楔体を当該杭体外部へ突出させて土中に根を張るように打ち込む土木工事用杭の楔体突出確認方法において、
前記楔体に歪ゲージを取り付け、当該楔体が土中に突出した際に生じる歪を計測することにより楔体が土中に打ち込まれたことを確認することを特徴とする楔体突出確認方法。
【請求項９】
中空状の杭体内に内装された複数の楔体を当該杭体外部へ突出させて土中に根を張るように打ち込む土木工事用杭の楔体突出確認方法において、
前記楔体を備えた杭体を土中に打ち込む工程と、
土中に打ち込まれた杭体から前記楔体を外部へ突出させる工程と、
前記杭体内に可撓性を有する金属製薄板に取り付けられた歪ゲージを挿入し、前記楔体に至るまで案内する工程と、そして、
前記歪ゲージを挿入したときの歪を計測することによって前記楔体が土中に打ち込まれたことを確認する工程と、
を備えてなることを特徴とする楔体突出確認方法。
【発明の詳細な説明】
【技術分野】
【０００１】
本発明は、土木工事用杭及び土木工事用杭の楔体突出確認方法に関し、さらに詳しくは、杭体内に内装された楔体が土中に突出したことを確認することが可能な土木工事用杭及び土木工事用杭の楔体突出確認方法に関する。
【背景技術】
【０００２】
従来の土木工事用杭は、一般にコンクリート材又は鉄材によって円筒錐形状又は円柱形状に形成され、建築工事をはじめ護岸工事等の各種の工事において使用する際には土中に垂直又は斜めに打ち込んで使用するものであった。そのため、土質が脆い場所や地盤が軟弱である場所に杭を打っても、杭自体が安定せず、揺らいだり、抜けてしまったりするという問題があった。また、地盤が硬い場所であっても、時間の経過によって打ち込んだ土木工事用杭が揺らいだり、浮き出てきたりするという問題を有するものであった。さらに、耐震性においても、従来の土木工事用杭は不安定性を有するものであった。土木工事用杭が、このように揺らいだり、安定しなかったり、また浮き出て来るようなことがあると工事自体も危険で、工事完了後もかなりの危険性を有することとなり、不都合なものであった。そのため本出願人はこのような欠点や不都合を改善し、土中においてより安定した状態を保持できる土木工事用杭を開発した（特開平０８−２６９９５０号公報（特許文献１）、特開平０９−００３８８４号公報（特許文献２）、特開平１１−３２３９２３号公報（特許文献３））。
【０００３】
特許文献１乃至３の発明は、概略として、先端が円錐若しくは角錐状に形成され、他端は開口状で接続部とされ、かつ内部が空洞状に形成されると共に側壁に複数の開口部が設けられていた杭体内に、先端が鋭角状に形成される複数枚の楔体を有するコア体が装着されて構成され、杭体を土中に打ち込んだ後、楔体をさらに木の根のように土中に突出させて確実に土中に固定することを可能としたことを特徴とするものである。また、この杭体は、別の継手杭体を順次上部側に継ぎたして、さらに土中深くに埋設することが可能とされている。
【０００４】
【特許文献１】特開平０８−２６９９５０号公報
【特許文献２】特開平０９−００３８８４号公報
【特許文献３】特開平１１−３２３９２３号公報
【発明の開示】
【発明が解決しようとする課題】
【０００５】
上述した土木工事用杭は、その効果は顕著であるが、杭体は土中に埋設されるものであるため複数の楔体が杭体から確かに突出して土中に突き刺さっているか否かを確認することが困難であった。また一部の楔体が杭体から突出していないと本来の性能を発揮しえないおそれがある。
【０００６】
そこで、本発明は、そのような問題を解決するために、杭体内に内装された楔体が土中に確実に突出したことを確認することが可能な土木工事用杭の楔体突出確認方法を提供することを目的とすると共に、そのような楔体突出確認方法を可能とする土木工事用杭を提供することを目的とする。
【課題を解決するための手段】
【０００７】
上記課題を解決するため請求項１に記載の本発明は、中空状の杭体内に内装された複数の楔体を当該杭体外部へ突出させて土中に根を張るように打ち込む土木工事用杭において、楔体に歪ゲージを取り付けたことを特徴とする。
【０００８】
上記課題を解決するため請求項２に記載の本発明は、請求項１に記載の土木工事用杭において、楔体は、２枚の板部材の間に中間層を設けて張り合わせることにより内部に空間部を形成し、空間部に歪ゲージを内装したことを特徴とする。
【０００９】
上記課題を解決するため請求項３に記載の本発明は、請求項１に記載の土木工事用杭において、楔体は、少なくとも一方側に凹部を有する板部材を張り合わせることにより内部に空間部を形成し、空間部に歪ゲージを内装したことを特徴とする。
【００１０】
上記課題を解決するため請求項４に記載の本発明は、請求項１に記載の土木工事用杭において、楔体は、所定箇所に凹所を有し、凹所に歪ゲージを取り付けたことを特徴とする。
【００１１】
上記課題を解決するため請求項５に記載の本発明は、請求項１に記載の土木工事用杭において、楔体は、中空部を備えた金属製管を両側方向からその内部に空間部が保持されるように押しつぶすことにより形成され、空間部に歪ゲージを内装したことを特徴とする。
【００１２】
上記課題を解決するため請求項６に記載の本発明は、中空状の杭体内に内装された複数の楔体を杭体外部へ突出させて土中に根を張るように打ち込む土木工事用杭において、可撓性を有する金属製薄板に取り付けられた歪ゲージを楔体に至るまで案内する案内手段を杭体内に挿入可能に形成されていることを特徴とする。
【００１３】
上記課題を解決するため請求項７に記載の本発明は、請求項６に記載の土木工事用杭において、楔体には、杭体内に挿入される歪みゲージを楔体の内部へ案内する中空部が形成されていることを特徴とする。
【００１４】
上記課題を解決するため請求項８に記載の本発明は、中空状の杭体内に内装された複数の楔体を杭体外部へ突出させて土中に根を張るように打ち込む土木工事用杭の楔体突出確認方法において、楔体に歪ゲージを取り付け、楔体が土中に突出した際に生じる歪を計測することにより楔体が土中に打ち込まれたことを確認することを特徴とする。
【００１５】
上記課題を解決するため請求項９に記載の本発明は、中空状の杭体内に内装された複数の楔体を杭体外部へ突出させて土中に根を張るように打ち込む土木工事用杭の楔体突出確認方法において、楔体を備えた杭体を土中に打ち込む工程と、土中に打ち込まれた杭体から楔体を外部へ突出させる工程と、杭体内に可撓性を有する金属製薄板に取り付けられた歪ゲージを挿入し、楔体に至るまで案内する工程と、そして、歪ゲージを挿入したときの歪を計測することによって楔体が土中に打ち込まれたことを確認する工程とを備えてなることを特徴とする。
【発明の効果】
【００１６】
本発明に係る土木工事用杭によれば、楔体に歪ゲージを取り付けたので楔体が土中に突出する際に受ける抵抗によって発生する楔体の内部応力を検出することで楔体が確実に土中に突出された否かがわかるという効果がある。また、杭体を土中に打設した後に歪ゲージを杭体へ挿入して楔体の形状を歪によって確認することとしたので楔体が確実に土中に突出された否かを確認することができるという効果がある。
【００１７】
本発明に係る土木工事用杭の楔体突出確認方法によれば、楔体が土中に突出する際に受ける抵抗によって発生する歪を検出することで楔体が確実に土中に突出された否かを確認する。これにより、確実に施工されたか否かを容易に判定することができるという効果がある。そして、万が一楔体が突出していないことが確認された場合には直ちにその対応を取ることができるので建造物や構築物が強度不足となることを効果的に防止することが可能となる。
【発明を実施するための最良の形態】
【００１８】
以下、本発明に係る土木工事用杭及び土木工事用杭の楔体突出確認方法について好ましい実施形態に基づいて説明する。図１は本発明に係る土木工事用杭の一実施形態の斜視図である。図示された土木工事用杭１は、概略として、先導杭体２Ａと、継手杭体２Ｂを有して構成されており、外観上は従来の土木工事用杭本体とほぼ同様である。
【００１９】
はじめに、先導杭体２Ａは、先端が円錐又は角錐状に形成されると共に、他端側は開口して形成され、この開口部の縁部が後述する継手杭体２Ｂと接続される接続部３となっている。また、先導杭体２Ａの内部は、先端側において一定範囲で少なくとも液密に閉ざされており、他端側方向に空洞状に形成されている。先導杭体２Ａの側壁には後述する楔体６、６を側壁から突出させるための開口部４、４が複数設けられている。この開口部４、４は、側壁の適宜の箇所に設けることができるが、本実施形態では、上下二段に且つ左右対称に規則的に配置している。そして、このように形成された先導杭体２Ａの内側に、図４に示すように、先端が鋭角状に形成された複数の楔体６、６を供えたコア体５Ａ、５Ｂが装着されている。楔体６、６は、各開口部４、４のそれぞれから突出するようにそれぞれ長さの異なる２つの楔体６、６を２つずつ組み合わせた状態で配置されて形成されている。
【００２０】
一方、継手杭体２Ｂは、先導杭体２Ａと連結固定されて長尺の土木工事用杭１を形成させるものである。この継手杭体２Ｂは、図１乃至図３に示すように、その内部が空洞状で両端は開口して形成されており、一方側の端部が先導杭体２Ａと連結可能に形成されている。また、他端側、即ち先導杭体２Ａ側とは反対側の端部には接続部３が形成されている。そして、継手杭体２Ｂの側壁には、先導杭体２Ａと同様に、開口部４、４が設けられている。尚、継手杭体２Ｂは、先端が先導杭体２Ａと連結される開口部とされている点で円錐又は角錐状に形成された先導杭体２と異なるが他の構成は略同様である。
【００２１】
先導杭体２Ａ及び継手杭体２Ｂに形成された接続部３は、先導杭体２Ａにおいては、円錐又は角錐状に形成され先端側とは反対側の端部であって継手杭体２Ｂと接合固定される側の開口状縁部外側に形成されており、一方、継手杭体２Ｂにおいては、先導杭体２と接合固定される側と反対端側の開口状の縁部外側に形成されている。そして、先導杭体２Ａの接続部３に、継手杭体２Ｂを嵌着し、接合固定することによって、先導杭体２Ａと継手杭体継手杭体２Ｂとが一本の土木工事用杭１として機能するようになる。また、継手杭体２Ｂの接続部３に、さらに別の継手杭体２Ｂを嵌着して接合固定することにより、より長い土木工事用杭１として使用することができる。また、この接続部３には、各々開孔部３ａ、３ａが規則的に設けられており、先導杭体２Ａの開孔部３ａと継手杭体２Ｂの開孔部３ａを一致させることにより先導杭体２Ａと継手杭体２Ｂの位置合わせを容易に行なわせることができる。尚、嵌着接合を容易にするため、接続部３の内側に螺子状溝を設け、先導杭体２Ａと継手杭体２Ｂとを螺着することにより連結するようにすることもできる。
【００２２】
図４及び図５に示されているように、コア体５Ａは先導杭体２Ａ内に装着されるものであり、コア体５Ｂは継手杭体２Ｂに装着されるものである。コア体５Ｂは中打体７を有して構成されているが、コア体５Ａにはそれは設けられていない。中打体７は、継手杭体２Ｂ内に装着されるコア体５Ｂの中心部に、楔体６、６と同様に垂直方向に取り付け固定されている。中打体７は、コア体５Ｂを押圧することによって、下方向、即ち継手杭体２Ｂ内を土木工事用杭１の先端方向へ移動しながら先導杭体２Ａ内のコア体５Ａを押圧するようになっている。これにより、コア体５Ａに取り付けられている楔体６、６を開口部４、４から突出させると同時に、コア体５Ｂに設けられている楔体６、６も突出させるように動作する。従って、コア体５Ａには中打体７を設ける必要がない。尚、コア体５Ａ、５Ｂには適宜の数の楔体６、６が配設されているが、本実施形態では前後に２枚ずつ、かつ左右に若干の高低を有して規則的対称的に８枚の楔体６、６が設けられている。しかし、必ずしもその数は８枚である必要はなく、６枚でも１０枚でも適宜の数を採用することが可能である。
【００２３】
コア体５Ａ、５Ｂの上部に切欠部あるいは切断面９が形成されており、この隙間から先導杭体２Ａ及び継手杭体２Ｂの内部に、例えば、「管」を挿入することが可能となり、この「管」を介して土木工事用杭１内に、セメントや水ガラス等の材料を注入することが可能となる。このように構成することによって、土木工事用杭１をより強固に土中に固定することができる。
【００２４】
楔体６、６は、先端が鋭角状に形成された剣状の部材である。このように形成することによって、土中への突出が容易となり、より深く土中を刺すこととができる。もちろん他の形状を採用することも可能である。楔体６、６の先端は、開口部４、４内側端に各々接するようにして配置されている。開口部４、４に楔体６、６を案内する、図６に示すような、ポケット金具８を設けることができる。このポケット金具８により容易に楔体６、６を開口部４、４から突出させることができる。また、楔体６、６の両側縁部又は片側縁部に切欠１０を設けてもよい。切欠１０を設けることにより楔体６、６の根張り強度を強くすることが可能となる。
【００２５】
さらに、楔体６には、歪ゲージ２０が内装されている。図７に示すのは、歪ゲージ２０が内装された楔体６の横断面図である。すなわち、楔体６は、先端が鋭利に尖った剣状をなす２枚の外側プレート６ａ、６ａを備え、この２枚の外側プレート６ａ、６ａの間に外側プレート６ａ、６ａの幅サイズの半分よりも小さい幅サイズの内部プレート６ｂ、６ｂをサンドイッチ状に挟み込むようにして張り合わされて形成されており、中間層となる２つの内部プレート６ｂ、６ｂの間に空間部が形成されるようになっている。そして、そのようにして形成された空間部内に歪ゲージ２０（図８参照）が配置されている。歪ゲージ２０からはコード２１が延伸されており、土中に突出した際に楔体６が土中から受ける圧縮力によって発生する歪を歪ゲージ２０によって検出し、それを図示しない計測機器に送るようになっている。金属に外力が加わると伸縮が起こるが、歪ゲージ２０はその際の抵抗値の変化を検出するものである。歪ゲージ２０は薄板状又はフィルム状のものを利用することが好ましい。
【００２６】
また、楔体６は、少なくとも一方側に凹部を有する板部材である外側プレート６ａを張り合わせることにより内部に空間部を形成し、その空間部に歪ゲージ２０を内装するように形成することもできる。すなわち、図９（ａ）に示すように、表面に凹部が形成された外側プレート６ａと、そのような凹部が形成されていない外側プレート６ａを２枚張り合わせることで形成される空間部に歪ゲージ２０を配置することができる。もちろん、表面に凹部が形成された２枚の外側プレート６ａ、６ａ同士をそれぞれ凹部を対向させた状態で張り合わせることによっても歪ゲージ２０を配置するための空間部を形成することができる（図９（ｂ）参照）。
【００２７】
このように楔体６内部に歪ゲージ２０を取り付けることにより土中に突出した際の楔体６が受ける圧縮力による歪を計測することとしたので、楔体６が土中に確実に突出したか否かを確認することができる。すなわち、コア体５Ａ、５Ｂを押し下げることにより楔体６、６が先導杭体２Ａ及び継手杭体２Ｂの側壁から突出して土中に突き刺さると、その際に生じる抵抗により楔体６には圧縮方向に力が加わる。従って、このとき発生する歪みを計測すれば楔体６が確実に土中に突出したか否かを確認することが可能となる。測定値が所定の範囲の値よりも小さい場合或いは大きい場合には楔体６が正しく突出していないと判断される。すなわち、測定値が小さいのは楔体６に歪が発生していないからであり、測定値が大きいのは楔体６が開口部４から突出せずに先導杭体２Ａ又は継手杭体２Ｂの側壁部に引っ掛かっているか若しくは岩盤等の固い物質に楔体６の突出が阻止されていると考えられるからである。尚、歪ゲージ２０は、全ての楔体６、６に配置することが好ましい。
【００２８】
一方、歪ゲージ２０の取り付けについてさらに他の実施形態のものについて説明する。図１０に示すのは先導杭体２Ａの横断面図であり、歪ゲージ２０は上述のものと異なる構造で取り付けられている。すなわち、本実施形態では、楔体６、６には、所定箇所に長手方向に沿って凹所が形成されており、この凹所に歪ゲージ２０が取り付けられている。図示されているように、四方へ突出する各楔体６、６のそれぞれに歪ゲージ２０が配置されている。凹所は、楔体６、６をプレス装置当によって所定箇所を押圧することによって形成することができるが、その他の方法によって形成してもかまわない。尚、歪ゲージ２０の取り付け位置は図示されたものに限定されるものではなく、適宜の位置に取り付けることができる。また、歪ゲージ２０の楔体６、６への取り付けは、例えば、ネジ止め、溶接、接着剤等の適宜の方法で行うことができる。
【００２９】
さらに、歪ゲージ２０の取り付けについて上述したものとは異なる実施形態のものについて説明する。図１１に示す楔体６は、中空部を備えた金属製管を両側方向からその内部に空間部が保持されるように押しつぶすことにより形成したものである。中空部を備えた金属製管としては、例えば、中空状の鋼管があり、図１１ではそのような鋼管６ｃを両側方向からその内部に空間部が保持されるように押しつぶし、その内部に形成された空間部に歪ゲージ２０を内装するようにしたものである。尚、鋼管６ｃを押しつぶす際に、予め鋼管６ｃの内部に図示しない冶具を内装配置しておき、鋼管６ｃを押しつぶした後で図示しない冶具を除去することによって楔体６の内部に空間部を形成するようにすることもできる。
【００３０】
以上のように構成された土木工事用杭１の使用法と動作を説明しつつ本発明に係る土木工事用杭の楔体突出確認方法について説明する。図１２に示すのは本発明に係る土木工事用杭の楔体突出確認方法の一実施形態におけるフローチャートである。
【００３１】
はじめに、例えば、耐震用や護岸用等、大きな強度を必要とする場合には、まず先導杭体２Ａを土中に打ち込む（ステップＳ１）。しかる後、必要な数の継手杭体２Ｂの接続を繰り返して行う（ステップＳ２）。必要な深さまでの連結接続が完了し、かつ必要な深さまでの打ち込みが完了したら、この土木工事用杭１のために用意された他の部品あるいは他の部材をもってコア体５Ａ、５Ｂを押圧する（ステップＳ３）。これにより、コア体５Ａ、５Ｂは土木工事用杭１の先端方向に移動し、楔体６、６が外（土中）へ突出して根を張った状態となる（ステップＳ４）。そして、そのときに土中から受ける外力によって生じる楔体６、６の歪を歪ゲージ２０によって検出し測定する（ステップＳ６）。そして、計測された数値を確認することにより楔体６、６が確実に土中に突出されたか否かを判定する（ステップＳ７）。以上の作業を繰り返すことによって、土木工事用杭１は確実に施工することができる。
【００３２】
一方、土木工事用杭１を簡便な箇所に使用するものであれば、先導杭体２Ａのみを使用することも可能である。この場合は、先導杭体２Ａをその先端方向から土中に刺し込み、必要限度の所で刺し込みを止め、しかる後に他の部材によってコア体５Ａを押圧することにより、コア体５Ａを先端方向に移動させる。それによって楔体６、６は外（土中）に突出し、土中へ刺し込まれる。
【００３３】
次に、さらに別の実施形態における土木工事用杭本体について説明する。
これまで説明した土木工事用杭本体は、歪ゲージ２０が楔体６、６に取り付けられた状態のものであったが、以下に説明する実施形態の土木工事用杭本体は、土中に打設された後に土木工事用杭本体内に歪ゲージ２０を取り付けた金属製の薄板２５を挿入することによって楔体６、６の突出を確認可能としたものである。すなわち、本実施形態における土木工事用杭本体１は、概略として、先導杭体２Ａによって形成されている（図１３参照）が、その主な構成は上述したものと同様なので、ここでの説明は省略する。先導杭体２Ａは、その上部側から歪ゲージ２０を楔体６、６まで案内するための案内部材１２が挿入可能に形成されている。
【００３４】
案内部材１２は、図１３乃至図１５に示すように、中空状の金属製部材によって先導杭体２Ａ内に挿入可能な形状に形成されている。すなわち、先導杭体２Ａの断面形状が矩形であれば案内部材１２もそれに即した角筒状とされ、先導杭体２Ａの断面形状が円形状であれば案内部材１２もそれに即した円筒状とされる。そして、案内部材１２の内部には、歪ゲージ２０が取り付けられた可撓可能な金属製の薄板２５を楔体６、６に至るまで案内するための通路１４、１４が形成されている。そして、通路１４、１４は案内部材１２の内壁面にそれぞれ２段に設けられており、挿入された歪ゲージ２０が上下２段に突出する楔体６、６のそれぞれに至るようになっている。
【００３５】
一方、図１８に示すのは通路１４、１４に挿入される歪ゲージ２０を備えた金属製の薄板２５の斜視図である。薄板２５は、例えば、ステンレス等により長尺に形成され、その先端部近傍に歪ゲージ２０が取り付けられている。歪ゲージ２０の基本的機能及び構成は上述した通りであり、本実施形態の場合は先導杭体２Ａ内に挿入された案内部材１２の通路１４、１４に薄板２５を挿入し、土中に突出した楔体６、６の形状に沿って薄板２５が湾曲する際に生じる歪を薄板２５に取り付けられた歪ゲージ２０によって計測し、そのデータを歪ゲージ２０に取り付けられたコード２１、２１によって図示しない計測機器に送るようになっている。尚、案内部材１２の上部外側面には先導杭体２Ａ内への挿入及び抜去のために持手１５、１５が取り付けられている。
【００３６】
さらに、本実施形態における土木工事用杭本体１にあっては、楔体６、６を以下のように形成することもできる。すなわち、図１６及び図１７に示すように、楔体６、６はその内部にそれぞれ中空部６ｄ、６ｄが形成されており、案内部材１２によって挿入された歪ゲージ２０をさらに楔体６、６内部の中空部６ｄ、６ｄ内に導くようになっている。これにより歪ゲージ２０を備えた薄板２５は土中に突き出した状態の楔体６、６の形状をトレースすることになるのでその際に生じる歪みを歪ゲージ２０によって計測することで楔体６、６の突出状況を確認することが可能となる。尚、本実施形態における楔体６、６はその基端部側が角筒状のコア体５Ａの側面にそれぞれ２段に溶接されて固定されている（図１７参照）。
【００３７】
上述した土木工事用杭１の使用法と動作を説明しつつ本発明に係る土木工事用杭の楔体突出確認方法についての他の実施形態について説明する。図１８に示すのは本発明に係る土木工事用杭の楔体突出確認方法の一実施形態におけるフローチャートである。
はじめに、楔体６、６を備えた先導杭体２Ａを土中に打ち込む（ステップＳ１１）。必要な深さまでの打ち込みが完了したら、この土木工事用杭１のために用意された他の部品あるいは他の部材をもってコア体５Ａを押圧してコア体５Ａを下方向に移動させ、楔体６、６を土中へ突出させて根を張った状態とする（ステップＳ１２）。そして、先導杭体２Ａの開口した上部側から案内部材１２を挿入し、案内部材１２の通路１４、１４に歪ゲージ２０を備えた薄板２５を楔体６に至るまで挿入する（ステップＳ１３）。その際に生じる歪を歪ゲージ２０によって検出し、それを測定する（ステップＳ１４）。尚、図１６に示すように、内部に中空部６ｄ、６ｄが形成された楔体６、６にあっては、薄板２５は中空部６ｄ、６ｄ内を進行させるようにして挿入する。そして、歪ゲージ２０によって計測された数値を確認することにより楔体６、６が確実に土中に突出されたか否かを判定する（ステップＳ１５）。以上の作業を各通路１４、１４ごとに繰り返すことによって、楔体６、６の突出状況を確認することができる。尚、歪ゲージ２０を備えた薄板２５を複数枚同時に通路１４、１４に挿入して歪を同時に検出させることももちろん可能である。
【００３８】
以上のように、本発明に係る土木工事用杭の楔体突出確認方法によれば、楔体が確実に土中に突出された否かがわかるので正しく施工されたか否かを容易に判定することができる。また、万が一楔体が突出していないと判断される場合には直ちにその対応を取ることができる。
【図面の簡単な説明】
【００３９】
【図１】本発明に係る土木工事用杭の一実施形態の斜視図である。
【図２】楔体が突出する前の状態の土木工事用杭の斜視図である。
【図３】土木工事用杭の縦断面図である。
【図４】先導杭体用のコア体の斜視図である。
【図５】継手杭体用のコア体の斜視図である。
【図６】ポケット金具の斜視図である。
【図７】歪ゲージを内装した楔体の横断面図である。
【図８】歪ゲージの概略平面図である。
【図９】（ａ）、（ｂ）は歪ゲージを内装する空間部を備えた楔体の異なる実施形態における横断面図である。
【図１０】歪ゲージを内装した楔体の他の実施形態における横断面図である。
【図１１】歪ゲージを内装する空間部を備えた楔体のさらに別の実施形態における横断面図である。
【図１２】本発明に係る土木工事用杭の楔体突出確認方法の一実施形態におけるフローチャートである。
【図１３】案内部材が挿入された状態の先導杭体の断面図である。
【図１４】案内部材の斜視図である。
【図１５】案内部材の横断面図である。
【図１６】楔体の中空部を示す先導杭体の横断面図である。
【図１７】楔体のコア体への取り付けを示す斜視図である。
【図１８】歪ゲージを備えた薄板の斜視図である。
【図１９】本発明に係る土木工事用杭の楔体突出確認方法の他の実施形態におけるフローチャートである。
【符号の説明】
【００４０】
１      土木工事用杭
２Ａ    先導杭体
２Ｂ    継手杭体
３      接続部
４      開口部
５Ａ、５Ｂ  コア体
６      楔体
６ａ      外側プレート
６ｂ      内部プレート
６ｃ      鋼管
６ｄ      中空部
７      中打体
８      ポケット金具
９      切断面
１０      切欠
１２      案内部材
１４      通路
１５      持手
２０      歪ゲージ
２１      コード
２５      薄板
【図１】
2008008091.tif 000003
【図２】
2008008091.tif 000004
【図３】
2008008091.tif 000005
【図４】
2008008091.tif 000006
【図５】
2008008091.tif 000007
【図６】
2008008091.tif 000008
【図７】
2008008091.tif 000009
【図８】
2008008091.tif 000010
【図９】
2008008091.tif 000011
【図１０】
2008008091.tif 000012
【図１１】
2008008091.tif 000013
【図１２】
2008008091.tif 000014
【図１３】
2008008091.tif 000015
【図１４】
2008008091.tif 000016
【図１５】
2008008091.tif 000017
【図１６】
2008008091.tif 000018
【図１７】
2008008091.tif 000019
【図１８】
2008008091.tif 000020
【図１９】
2008008091.tif 000021